(57)【要約】【課題】聴診器カバーによって聴診器の不快感を無くす。【解決手段】聴診器カバー２０は、シート状の発泡体からなるシート部２２によって本体が構成されている。シート部２２は、聴診器１０におけるチェストピース１２の聴音面１２ａ,１２ｂを被覆可能に形成されている。聴診器カバー２０には、シート部２２の一面に粘着部２４が設けられている。粘着部２４は、聴音面１２ａ,１２ｂに貼り付け可能であると共に、聴音面１２ａ,１２ｂから剥離可能に構成されている。【選択図】図１
2020000614.tif 000002
【特許請求の範囲】
【請求項１】
シート状の発泡体からなり、聴診器におけるチェストピースの聴音面を被覆可能に形成されたシート部と、
前記シート部の一面に設けられ、前記聴音面に貼り付け可能であると共に該聴音面から剥離可能に構成された粘着部と、を備えている
ことを特徴とする聴診器カバー。
【請求項２】
前記粘着部は、アクリル系の感圧型粘着剤で構成されている請求項１記載の聴診器カバー。
【請求項３】
前記発泡体は、ポリオレフィン系軟質発泡体であり、
前記シート部は、ＶＤＡ−２７８に準拠して測定される揮発性有機化合物の量が２００ｐｐｍ以下である請求項１または２記載の聴診器カバー。
【請求項４】
前記シート部は、セル径が５０μｍ〜３００μｍで、密度が４０ｋｇ／ｍ３〜６０ｋｇ／ｍ３で、熱伝導率が０．０２６ｗ／(ｍ・ｋ)〜０．０４０ｗ／(ｍ・ｋ)の前記発泡体で構成されている請求項１〜３の何れか一項に記載の聴診器カバー。
【請求項５】
請求項１〜４の何れか一項に記載の聴診器カバー同士が、互いに切断容易に形成された脆弱部を介して複数繋がった連続体と、該連続体における前記粘着部が設けられた一面に重ねて貼り合わせられた保護シートとを、前記聴診器カバーが繋がる方向と直交する方向を軸として該保護シートが表側になるようにロール状に巻いたロール体と、
前記ロール体を軸周りに回転可能な状態で収納する箱体と、
前記箱体に設けられ、前記ロール体から該箱体の内側で剥離した前記連続体を、前記粘着部を上に向けた姿勢で該箱体の外方へ導出可能に構成された第１開口部と、
前記箱体に設けられ、前記ロール体から該箱体の内側で剥離した前記保護シートを該箱体の外方へ導出可能に構成された第２開口部と、を備え、
前記第２開口部から導出した前記保護シートを引き出すにつれて、前記第１開口部から導出した前記連続体が前記箱体の外方へ繰り出される
ことを特徴とする聴診器カバーの供給装置。
【発明の詳細な説明】
【技術分野】
【０００１】
この発明は、聴診器を介する感染を防止するための聴診器カバーおよび聴診器カバーの供給装置に関するものである。
【背景技術】
【０００２】
聴診器は、ダイヤフラムを備えたチェストピースを患者の皮膚に当てて、呼吸音や心音などを聴くものである。聴診器は、患者に接触させるので、患者が保有している病原菌などによって汚染されるおそれがある。そして、同じ聴診器を複数の患者に使用すると、病原菌などが患者間で感染する危険があるので、診察のたびに聴診器をアルコール消毒することが行われている。また、複数の遮蔽体を積層して構成された遮蔽体ユニットを聴診器に取り付け、遮蔽体を患者に当てて聴診を行った後に、患者に接触した遮蔽体を剥ぎ取って、清潔な遮蔽体が患者に常に触れるようにすることで、消毒の手間を省くことが提案されている(例えば、特許文献１参照)。
【先行技術文献】
【特許文献】
【０００３】
【特許文献１】特許第４５７７９２６号公報
【発明の概要】
【発明が解決しようとする課題】
【０００４】
特許文献１の遮蔽体ユニットは、ポリエチレン等のソリッド樹脂を遮蔽体として用いており、遮蔽体を患者に当てた際に、遮蔽体を冷たく感じることがある。
【０００５】
本発明は、従来の技術に係る前記問題に鑑み、これらを好適に解決するべく提案されたものであって、患者に不快感を与えない聴診器カバーを提供し、また当該聴診器カバーを円滑に供給し得る供給装置を提供することを目的とする。
【課題を解決するための手段】
【０００６】
前記課題を克服し、所期の目的を達成するため、本発明の聴診器カバーは、
シート状の発泡体からなり、聴診器におけるチェストピースの聴音面を被覆可能に形成されたシート部と、
前記シート部の一面に設けられ、前記聴音面に貼り付け可能であると共に該聴音面から剥離可能に構成された粘着部と、を備えていることを要旨とする。
【０００７】
本発明の聴診器カバーの供給装置は、
本発明に係る聴診器カバー同士が、互いに切断容易に形成された脆弱部を介して複数繋がった連続体と、該連続体における前記粘着部が設けられた一面に重ねて貼り合わせられた保護シートとを、前記聴診器カバーが繋がる方向と直交する方向を軸として該保護シートが表側になるようにロール状に巻いたロール体と、
前記ロール体を軸周りに回転可能な状態で収納する箱体と、
前記箱体に設けられ、前記ロール体から該箱体の内側で剥離した前記連続体を、前記粘着部を上に向けた姿勢で該箱体の外方へ導出可能に構成された第１開口部と、
前記箱体に設けられ、前記ロール体から該箱体の内側で剥離した前記保護シートを該箱体の外方へ導出可能に構成された第２開口部と、を備え、
前記第２開口部から導出した前記保護シートを引き出すにつれて、前記第１開口部から導出した前記連続体が前記箱体の外方へ繰り出されることを要旨とする。
【発明の効果】
【０００８】
本発明に係る聴診器カバーによれば、聴診対象者の肌に触れた際に、冷たさなどの不快感を与えない。
また、本発明に係る聴診器カバーの供給装置によれば、清潔な状態にある聴診器カバーを円滑に供給できる。
【図面の簡単な説明】
【０００９】
【図１】本発明の実施例に係る聴診器カバーを示す概略斜視図であり、(ａ)は聴診器への取り付け前であり、(ｂ)は聴診器に取り付けた状態を示す。
【図２】(ａ)は実施例の聴診器カバーを示す正面図であり、(ｂ)は実施例の聴診器カバーを示す背面図である。
【図３】実施例の聴診器カバーの一部を拡大して示す断面図である。
【図４】実施例の聴診器カバーの供給装置を示す説明図である。
【図５】実施例の連続体を示す概略斜視図である。
【図６】音の透過損失試験の結果を示すグラフ図である。
【図７】ＶＯＣ試験の結果を示すグラフ図である。
【図８】聴診器カバーの形状の変更例を示す平面図である。
【発明を実施するための形態】
【００１０】
次に、本発明に係る聴診器カバーおよび聴診器カバーの供給装置につき、好適な実施例を挙げて、添付図面を参照して以下に説明する。
【実施例】
【００１１】
図１に示すように、聴診器１０は、聴診対象者の音を集めるチェストピース１２と、一端がチェストピース１２に繋がるゴム管１４と、ゴム管１４の他端に繋がる耳管(図示せず)とを備えている。聴診器１０は、耳管の先端に取り付けられたイヤーピース(図示せず)を耳に嵌めて、チェストピース１２においてダイヤフラムが設けられたダイヤフラム面(聴音面)１２ａまたはダイヤフラム面１２ａと反対のベル面(聴音面)１２ｂを聴診対象者の肌に当てて、聴診を行う。なお、ダイヤフラム面１２ａおよびベル面１２ｂを有するダブルタイプに限らず、ベル面１２ｂを有していないシングルタイプの聴診器であっても、本発明に係る聴診器カバー２０(図１参照)を適用可能である。
【００１２】
図１および図２に示すように、聴診器カバー２０は、チェストピース１２の聴音面１２ａ,１２ｂを被覆可能に形成されたシート部２２と、シート部２２の一面に設けられた粘着部２４とを備えている。聴診器カバー２０は、聴診対象者に触れる接触面を構成するシート部２２が発泡体で構成されており、シート部２２において接触面と反対面に設けられた粘着部２４を聴音面１２ａ,１２ｂに貼り付けて、聴音面１２ａ,１２ｂに取り付けられる。聴診器カバー２０は、聴音面１２ａ,１２ｂや聴診対象者の体に合わせて曲げ変形可能な柔軟性を有している。
【００１３】
図２に示すように、シート部２２は、聴音面１２ａ,１２ｂ全体を被覆し得る形状および大きさで形成されている。実施例のシート部２２は、円形の聴音面１２ａ,１２ｂよりも大きく形成された小判形状であって、シート部２２の一方に寄せて聴音面１２ａ,１２ｂを重ね合わせて取り付けた際に、チェストピース１２を握る指よりも外側までシート部２２が延出するように設定することが好ましい。また、聴診器カバー２０は、シート部２２の一方に寄せて聴音面１２ａ,１２ｂを重ね合わせて取り付けた際に、シート部２２の他方が聴音面１２ａ,１２ｂから外側へ大きく延出するように配置される。
【００１４】
シート部２２は、曲げ変形可能な柔軟性および圧縮変形可能な弾力性を有している。シート部２２は、ポリエチレンやポリプロピレンなどのポリオレフィン系樹脂からなる発泡体で構成するとよい。なお、ポリオレフィン系樹脂としては、耐熱性に優れていることからポリプロピレン系樹脂が好ましい。発泡体は、柔軟であることから軟質発泡体で構成することが好ましく、セル(気泡)が互いに繋がっている連続気泡構造またはセルが互いに繋がっていない独立気泡構造の何れでもよいが、断熱性やシート部２２の強度を確保するうえで独立気泡構造の方が好ましい。発泡体は、セル径が３００μｍ以下、より好適には５０μｍ〜１５０μｍの発泡体で構成することが好ましく、このようにセル径が細かいことで断熱性を向上させることができる。発泡体は、その密度が４０ｋｇ／ｍ３〜６０ｋｇ／ｍ３の範囲にあることが好ましく、このような範囲の発泡体のシート部２２であると軽量でかつ断熱性が優れているなどにより、聴診器カバー２０として好適である。発泡体は、熱伝導率０．０４０ｗ／（ｍ・ｋ）以下、より好適には０．０２６ｗ／（ｍ・ｋ）〜０．０４０ｗ／（ｍ・ｋ）であることが好ましく、このように断熱性が優れていることで、聴診器カバー２０を聴診対象者の肌に接触させた際に冷たさを感じさせない。
【００１５】
発泡体は、発泡剤として二酸化炭素や窒素などを用いた超臨界ガス発泡法によって得られる発泡体を用いることが特に好ましい。前述した二酸化炭素等を発泡剤として用いた発泡体は、アゾ化合物等の有機発泡剤や炭酸アンモニウム等の無機発泡剤などと比べて、揮発性有機化合物(ＶＯＣ)などが少なくクリーンであることから、特に医療用途して好適である。そして、超臨界ガス発泡法により得られる発泡体は、前述した発泡体として好ましい物性を併有させることができるので、聴診器カバー２０として好適である。超臨界ガス発泡法によるシート部２２は、ＶＤＡ−２７８に準拠して測定される揮発性有機化合物(ＶＯＣ)の量(トータルＶＯＣ量)を、２００ｐｐｍ以下にすることができる。このようなシート部２２は、臭気がなく、クリーン性に非常に優れているので、医療用途として好適である。
【００１６】
図３に示すように、シート部２２は、他の部分よりも樹脂密度が高いスキン層２３を備えていることが好ましい。スキン層２３は、シート部２２における粘着部２４を設ける面に形成され、スキン層２３に粘着部２４が積層されている。このように、スキン層２３に粘着部２４を積層することで、粘着部２４を構成する粘着剤がシート部２２に含浸し難くなったり、粘着部２４の厚みを一定にし易くなったりするなど、様々なメリットがある。
【００１７】
粘着部２４は、聴音面１２ａ,１２ｂに貼り付け可能であれば形成範囲に特に制限はないが、実施例では、図２(ｂ)に示すように、粘着部２４が、シート部２２の一面全体に亘って設けられている。粘着部２４は、聴音面１２ａ,１２ｂに貼り付け可能であるだけでなく、聴音面１２ａ,１２ｂから剥離可能に構成されている。粘着部２４は、シート部２２への接合強度が、聴音面１２ａ,１２ｂへの貼り付け強度よりも大きく、聴音面１２ａ,１２ｂから聴診器カバー２０を剥がした際に、粘着部２４が聴音面１２ａ,１２ｂに残らないようになっている。粘着部２４は、両面テープなどを用いてもよいが、アクリル系の感圧型粘着剤で構成することが好ましい。
【００１８】
聴診器カバー２０は、粘着部２４をチェストピース１２の聴音面１２ａ,１２ｂに貼り付けるだけで、チェストピース１２に簡単に取り付けることができる。また、聴診器カバー２０は、粘着部２４を聴音面１２ａ,１２ｂから剥離可能であるので、聴診対象者毎に簡単に取り替えることができ、聴診器１０を介した感染の防止に好適に寄与し得る。聴診器カバー２０は、発泡体からなるシート部２２が聴診対象者の肌に触れるので、発泡体特有の断熱性により、聴診対象者がチェストピース１２または聴診器カバー２０を冷たく感じることはない。また、聴診器カバー２０は、軟質発泡体からなるシート部２２で構成することで、軟質発泡体に由来する柔らかさによって、チェストピース１２の硬さを和らげることができる。
【００１９】
聴診器カバー２０は、粘着部２４がアクリル系の感圧型粘着剤から構成されていることで、聴診後にチェストピース１２から取り外し易くなり、取り外した際に粘着部２４が聴音面１２ａ,１２ｂに残ることを防止できる。
【００２０】
聴診器カバー２０は、ポリオレフィン系軟質発泡体からなるシート部２２が、ＶＤＡ−２７８に準拠して測定される揮発性有機化合物（ＶＯＣ）の量が２００ｐｐｍ以下であることで、臭気がなく、非常にクリーンである。従って、聴診器カバー２０は、例えば、米国食品医薬品局(Food and Drug Administration：FDA)の認証などを受けることができ、高いクリーン性が求められる医療現場において、好適に使用できる。
【００２１】
聴診器カバー２０は、シート部２２を構成する発泡体として、セル径が５０μｍ〜３００μｍで、密度が４０ｋｇ／ｍ３〜６０ｋｇ／ｍ３で、熱伝導率が０．０２６ｗ／(ｍ・ｋ)〜０．０４０ｗ／(ｍ・ｋ)であるもので構成することで、好適な断熱性が得られる。従って、聴診器カバー２０は、聴診対象者に冷たさ等の不快感を与えない。
【００２２】
次に、聴診器カバー２０の供給装置３０について説明する。シート状の発泡体を打ち抜き加工するなどにより所定形状に形成したシート部２２に、コーティング等により粘着部２４を付与し、前述した聴診器カバー２０,２０同士が、互いに切断容易に形成された脆弱部３２を介して複数繋がった連続体３４(図５参照)を得る。図５に示すように、連続体３４は、複数の聴診器カバー２０が長手に連なるように一列に並べて形成されている。脆弱部３２としては、ミシン目や切れ込みや薄肉化などを採用可能であり、脆弱部３２によって隣り合う聴診器カバー２０,２０の間を切れ易くしている。また、連続体３４には、粘着部２４が設けられた一面に重ねて、樹脂フィルムまたはコーティング紙等からなる保護シート３６が貼り合わせられている。図４に示すように、連続体３４および保護シート３６は、聴診器カバー２０が繋がる方向と直交する方向を軸として、保護シート３６が表側になるようにロール状に巻いたロール体３８とされる。このように、ロール体３８の形態とすることで、粘着部２４を保護シート３６で保護し得ると共に、シート部２２が内側に配置されて外部に晒されないので、シート部２２も保護し得る。
【００２３】
図４に示すように、供給装置３０は、ロール体３８を軸周りに回転可能な状態で収納する箱体４０を備えている。箱体４０には、ロール体３８から箱体４０の内側で剥離した連続体３４だけを、粘着部２４を上に向けた姿勢で箱体４０の外方へ導出可能な第１開口部４２と、ロール体３８から箱体４０の内側で剥離した保護シート３６だけを箱体４０の外方へ導出する第２開口部４４とが設けられている。箱体４０において第２開口部４４は、第１開口部４２よりも箱体４０に収納されたロール体３８の軸側に位置して設けられ、具体的には、箱体４０の前面に設けられた第１開口部４２よりも後方に位置して、箱体４０の上面に第２開口部４４が形成されている。箱体４０には、第１開口部４２から引き出した連続体３４の下側に対応する位置に、台部４６が設けられており、台部４６によって連続体３４を支えている。箱体４０の内部には、ロール体３８と第２開口部４４との間に、保護シート３６を案内する案内ローラ４８が設けられている。供給装置３０は、第２開口部４４から導出した保護シート３６を引き出すにつれて、第１開口部４２から導出した連続体３４が箱体４０の外方(前方)へ繰り出されるようになっている。
【００２４】
図４に示すように、供給装置３０は、箱体４０の第２開口部４４から出ている保護シート３６を引っ張ることで、連続体３４から保護シート３６が剥がれると共に、連続体３４が第１開口部４２から繰り出される。第１開口部４２から出た連続体３４の先頭にある聴診器カバー２０は、粘着部２４が上向きになっているので、粘着部２４にチェストピース１２を貼り付け易い。そして、粘着部２４にチェストピース１２を貼り付けた後、脆弱部３２で聴診器カバー２０を連続体３４から切断することで、聴診器カバー２０をチェストピース１２に１枚ずつ貼り付けた状態で提供することができる。このように、供給装置３０によれば、常に清潔な状態にある聴診器カバー２０を円滑に供給することができ、供給に際して聴診器カバー２０に手を触れる必要がないので、聴診器カバー２０を清潔に保つことができる。そして、清潔に保った状態の聴診器カバー２０をチェストピース１２に貼り付けることができる。
【００２５】
（音の透過性）
以下の実施例の聴診器カバーを作成し、それぞれについて音の透過性(透過損失)を評価した。実施例では、二酸化炭素を用いた超臨界ガス発泡法による独立気泡構造のポリオレフィン系発泡体((株)イノアックコーポレーション製 FOLEC LZ2000)からなるシート部を、何れも用いている。実施例１〜３は、粘着部側にスキン層を有しており、シート部の厚さが０．９ｍｍであり、実施例４および５は、スキン層を有しておらず、シート部の厚さが０．８ｍｍである。実施例１および４は、両面テープ(ＤＩＣ(株)製、DAITA＃8616DJ-50)で粘着部を構成している。実施例２および５は、両面テープ(ＤＩＣ(株)製、DIC#8602TNW-05-4) で粘着部を構成している。実施例３は、アクリル系感圧型粘着剤(ＤＩＣ(株)製)を６μｍのドット状に付与して粘着部を構成している。透過損失は、ＪＩＳ Ａ１４４１−１：２００７に規定された音響インテンシティ法に準拠して評価を行った。実施例の聴診器カバー(５００ｍｍ×５００ｍｍサイズ)の周囲を５０ｍｍ幅の枠で固定し、音源残響室３６ｍ３、受音無響室２０ｍ３の条件で、各試料の表面より１００ｍｍにて中央離散点４箇所(縦方向１００ｍｍピッチ２箇所／横方向１００ｍｍピッチ２箇所)を測定している。その結果を図６に示す。
【００２６】
心音の周波数領域は、２０Ｈｚ〜６００Ｈｚであるといわれている。図６に示すように、実施例の聴診器カバーは、２０Ｈｚ〜６００Ｈｚの周波数領域において透過損失が非常に小さく、聴診器カバーによって音が聞こえ難くならないことが判る。また、実施例１と実施例４との関係、並びに実施例２と実施例５との関係から判るように、スキン層の有無によって違いが確認されなかった。すなわち、シート部を構成する発泡体がスキン層を有していても、音が聞こえ難くなることはない。更に、粘着部を両面テープで構成しても、粘着剤で構成しても、透過損失に違いがなかった。このように、粘着部を、両面テープで構成しても、粘着剤で構成しても、何れであってもよいことが判る。
【００２７】
（トータルＶＯＣ）
次に、実施例のシート部について、トータルＶＯＣを測定した。その結果を表１に示す。実施例に係るシート部は、二酸化炭素を用いた超臨界ガス発泡法による独立気泡構造のポリオレフィン系発泡体((株)イノアックコーポレーション製 FOLEC LZ2000)である。表１に示すセルサイズは、ＪＩＳ Ｋ３８３２に準拠して測定した値であり、表１に示す比重は、ＪＩＳ Ｋ７１１２に準拠して測定した値である。熱伝導率は、ＪＩＳ Ｒ２６１６に準拠して測定した値である。なお、汎用ポリエチレン発泡体(汎用ＰＥ発泡体)および汎用ポリウレタン発泡体(汎用ＰＵ発泡体)についても、トータルＶＯＣを測定した。トータルＶＯＣは、ＶＤＡ−２７８(２０１１版)に準拠して測定した。具体的には、各試料から切り出した試験片約７ｍｇをガラスチューブ内に入れ、熱脱着装置(Markes製  品番：TD-100)を使用し、各試験片を温度９０℃、時間３０分の条件下で加熱し、該加熱時に発生したガスをガスクロマトグラフ質量分析計(Agilent製  品番：GCMS-5977)により分析、トータルＶＯＣ値を算出した。
【００２８】
【表１】
2020000614.tif 000003
【００２９】
表１および図７に示すように、実施例のシート部は、汎用ＰＥ発泡体および汎用ＰＵ発泡体と比べてトータルＶＯＣが非常に低く、２００ｐｐｍ以下であることが判る。
【００３０】
（断熱性）
次に、断熱性について評価した。実施例のシート部は、二酸化炭素を用いた超臨界ガス発泡法による独立気泡構造のポリオレフィン系発泡体((株)イノアックコーポレーション製 FOLEC LZ2000)であり、その厚みが０．９ｍｍである。比較例は、ポリエチレンフィルムからなるポリエチレンシール(ケンツメディコ(株)製 コアシールズ)であり、その厚みが０．０７６ｍｍである。断熱性(熱伝導率および熱抵抗)は、測定装置(京都電子工業(株)製 QTM-500)により、ＪＩＳ Ｒ２６１６に準拠して測定した値である。その結果を表２に示す。
【００３１】
【表２】
2020000614.tif 000004
【００３２】
表２に示すように、実施例のシート部は、好適な断熱性を有していることが判る。
【００３３】
前述した構成に限らず、例えば以下のように変更してもよい。
(１)シート部(聴診器カバー)の形状は、実施例の形状に限らず、適宜形状を採用し得る。図８(ａ)に示す変更例のシート部２２は、円形の聴音面１２ａ,１２ｂと異なる四角形等で該聴音面１２ａ,１２ｂよりも大きく形成された保護部２２ａと、保護部２２ａから外方へ延出するタブ状の把持部２２ｂとを備えている。図８(ｂ)に示す変更例のシート部２２は、円形の聴音面１２ａ,１２ｂに合わせた円形状で該聴音面１２ａ,１２ｂよりも大きく形成された保護部２２ａと、保護部２２ａから外方へ延出するタブ状の把持部２２ｂとを備えている。このように、聴診器カバー２０は、チェストピース１２の聴音面１２ａ,１２ｂよりも大きく形成するだけでなく、チェストピース１２から取り外す際の持ち手となる把持部２２ｂを形成するとよい。
【００３４】
(２)実施例では、粘着部をシート部の一面全体に設けたが、これに限らず、粘着部をシートの一部領域だけに設けてもよい。また、粘着部をドット(点状)に付与したり、縞状に付与したりするなど、適宜態様で形成することができる。
(３)粘着部を保護シートで保護する形態であれば、フィルムからなる聴診器カバーであっても、前述した供給装置を適用することができる。
【符号の説明】
【００３５】
１０ 聴診器，１２ チェストピース，１２ａ ダイヤフラム面(聴音面)，
１２ｂ ベル面(聴音面)，２０ 聴診器カバー，２２ シート部，２４ 粘着部，
３２ 脆弱部，３４ 連続体，３６ 保護シート，３８ ロール体，４０ 箱体，
４２ 第１開口部，４４ 第２開口部
【図１】
2020000614.tif 000005
【図２】
2020000614.tif 000006
【図３】
2020000614.tif 000007
【図４】
2020000614.tif 000008
【図５】
2020000614.tif 000009
【図６】
2020000614.tif 000010
【図７】
2020000614.tif 000011
【図８】
2020000614.tif 000012